(57)【要約】【課題】両かぎ針の使用に適切なグリップを提供することにより、両かぎ針の持ち易さ，使い易さを良好にし、長時間の使用における疲れを少なくする。【解決手段】適宜の長さに形成したグリップ１の両側端より外方へ向け、かぎ針５，６を夫々延出せしめると共に、該延出した両かぎ針５，６の先端のかぎ彎曲方向を両側互いに逆向きとなしたグリップ付き両かぎ針である。尚、グリップは木製又は合成樹脂製であることが好ましく、またグリップの中間部に窪みを設け、窪みを挟む両側部分２，３においてかぎ針彎曲側の面を略扁平とし、該部に滑り止め７を形成する。【選択図】    図 １
0003114141.tif 000002
【実用新案登録請求の範囲】
【請求項１】
適宜長さを有するグリップの両側端より外方へ向け、かぎ針を夫々延出せしめると共に、該延出した両かぎ針の先端のかぎ彎曲方向を両側互いに逆向きとなしたことを特徴とするグリップ付き両かぎ針。
【請求項２】
グリップが木製又は合成樹脂製である請求項１記載のグリップ付き両かぎ針。
【請求項３】
グリップの中間両側部分の縦断面形状が逆向きの三角形状である請求項１または２記載のグリップ付き両かぎ針。
【請求項４】
グリップの中間両側部分においてかぎ針彎曲側の面が略扁平面であり、該部の一部に滑り止めが設けられている請求項１，２又は３記載のグリップ付き両かぎ針。
【請求項５】
グリップが長さ方向中間部に窪みを形成している請求項１〜４の何れかの項に記載のグリップ付き両かぎ針。
【考案の詳細な説明】
【技術分野】
【０００１】
本考案は持ち易く、使い易いグリップ付き両かぎ針に関するものである。
【背景技術】
【０００２】
先端にかぎ部を備えたかぎ針は従来より手芸編みにおいて広く用いられており、先端のかぎ部に編糸を引っ掛けて、軸杆側を手で把持し、編目を形成するものであるが、一般的には金属製軸杆の先端にかぎ部を形成した１本の針構造である。
【０００３】
ところが、一部、上記1本の針構造に対し左右何れからの使用も可能とするため、通常のかぎ針の軸杆と同じ金属製軸杆の両側にかぎ部を互いに彎曲方向を逆にして形成した両かぎ針が用いられてきた。しかし、上記１本の針構造のものも両端にかぎ部を設けた両かぎ針も手芸操作時、手で持つ位置が金属製で細く、長時間にわたって編むと疲れ易くなる。そこで、近時、手で持つ部分を柄付きとし、使い易くしたものが提案されている。（例えば特許文献１，２参照）
【特許文献１】意匠登録第１０９７１４６号公報
【特許文献２】意匠登録第１１００４５２号公報
【考案の開示】
【考案が解決しようとする課題】
【０００４】
しかし、上記提案された柄付きかぎ針は、単に従来の１本構造のかぎ針に柄を付けただけであり、両面かぎ針に柄を付けたものは現在、未だ提供されていない。
【０００５】
本考案は上述の如き実状に対処し、両かぎ針にグリップ（柄）をつけることを見出し、両かぎ針の使用に適切なグリップを提供することにより両かぎ針の持ち易さ，使い易さを良好にし、長時間の使用における疲れを少なくすることを目的とするものである。
【課題を解決するための手段】
【０００６】
即ち、上記目的に適合する本考案かぎ針の特徴は、適宜長さに形成したグリップの両側端より外方へ向け、かぎ針を夫々延出せしめると共に、該延出した両かぎ針先端のかぎ彎曲方向を両側互いに逆向きとなしたグリップ付き両かぎ針にある。
【０００７】
グリップとしては通常、木製又は合成樹脂製が用いられ、またグリップの中間両側部分の縦断面形状は、逆向きの略三角形状としてかぎ針のかぎ彎曲側の面は略扁平となし、該面の一部に滑り止めを設けるようにするのが好適である。更に、グリップは長さ方向中間部に窪みを形成することが持ち易さ上、好ましい。
【０００８】
かくして、上記かぎ針を用いて編成するにあたり、適宜、グリップによって分けられた両側のかぎ針をグリップの使用かぎ針側の各片側部分を把持して使用し、随時、左右持ち替えることによって使い易く長時間でも疲れを感ずることなく編成を続けることができる。
【考案の効果】
【０００９】
本考案は以上のように適宜長さのグリップの両側面よりかぎ針を延出した両かぎ針であり、グリップの存在により編成時のかぎ針が持ち易く、使い易いと共に、両側のかぎ針の交互使用が円滑となり、楽となって長時間にわたり使用する場合においても疲れを軽減する効果を有している。特に中間に窪みがあるときはより効果的である。
【考案を実施するための最良の形態】
【００１０】
以下、更に添付図面に基づいて本考案の具体的態様を説明する。
【００１１】
図１は本考案に係る両かぎ針の１例を示す斜視図であり、図２は平面図、図３は側面図である。
【００１２】
これら図において１は本考案に係る両かぎ針５，６をその両側端より延出するグリップであり、長さ方向の略中間部に窪み４を有して該窪み４を挟み両側に夫々かぎ針５，６を延出する両側部分２，３が形成されており、該両側部分２，３よりかぎ彎曲方向を逆向きとした、即ち、左側のかぎ針は上方向に、右側のかぎ針は下方向としたかぎ針５，６が夫々、延出されている。なお、図示例ではグリップ中間部に窪みを設けているが、窪みは必らずしも必須ではない。
【００１３】
ここで、グリップ１はアルミ等の軽量金属でもよいが、通常、木製又は合成樹脂製とすることが好ましく、長さ，厚さは随時、針長さに即して決められるが、一般に長さは５〜１０ｃｍ，厚さは０．５〜１．２ｃｍ位が好適である。また、かぎ針５，６の延出は両側にかぎ針５，６を持つ既知の両かぎ針を貫通させ一体成形により配設してもよく、また単独の一方構造のかぎ針をグリップの両側の夫々の部分２，３の側端に取り付けるようにしてもよい。なお、グリップ１は図２，図３に示すように中間部、図では窪み４を挟む両側の各部分２，３においてかぎ針のかぎ彎曲側の面が夫々略扁平な面となっており、横断面形状において中間の窪み４が円形となっている外、両側部分２，３は互いに頂点を逆向きとする三角形状断面になっている。この場合、かぎ彎曲側の面が扁平であることは前述した通りである。しかし、持ち易い形状であれば特に拘泥しない。
【００１４】
そして、上記中間部両側部分２，３の夫々の略扁平面にはグリップ把持して左又は右のかぎ針を随時持ち替えて編成を行なうとき、グリップを把持する手の滑りを止め、使い易さを保つためゴム，フェルト等、既知の材料よりなる滑り止め７が埋設もしくは貼り付け等、適宜手段によって取り付けられ形成されている。
【００１５】
なお、図に示す構造において中間部両側部分の断面が夫々、図３に示される構成であり、長さ方向の中間部がくびれた形状となっているが、両側部分の左右の形状，表裏の形状は、表裏対称，表裏反対向きで対称、ならびに左右対称又は非対称等の種々の組み合わせが考えられ、随時、選択される外、考案の要旨を逸脱しない限り、適宜、変形可能であることは勿論である。かくして本考案はグリップを備えた両かぎ針として手芸編み等に使用される。
【図面の簡単な説明】
【００１６】
【図１】本考案にかかる両かぎ針の１例を示す斜視図である。
【図２】上記かぎ針裏面側の平面図である。
【図３】上記かぎ針の側面図で、各切断部の断面形状を併記している。
【符号の説明】
【００１７】
１：グリップ
２，３：グリップの両側部分
４：中間の窪み
５，６：かぎ針
７：滑り止め
【図１】
0003114141.tif 000003
【図２】
0003114141.tif 000004
【図３】
0003114141.tif 000005